(57)【要約】      （修正有）【課題】発泡材からなる保護用パッドを人体の腰部や臀部を可及的広範囲に包被するように複数個互いに折曲自在に連結して配置し、スポーツ等に興ずる若者や高齢者の骨折、転倒による筋肉の損傷を回避し、あるいは軽減するための衝撃吸収装置を提供する。【解決手段】仙骨用パッドと、尾骨用パッドと、大腿骨骨頭用パッドと、転子部用パッドと、恥骨・坐骨用パッドと、大腿骨用パッドとを互いの接続部位で折曲自在に連結した衝撃吸収装置１０の内側ポケットに装着したハーフパンツ１４を着衣して、人体１２の腰部や臀部を可及的に包被する。【選択図】図１
0003235594.tif 000002
【実用新案登録請求の範囲】
【請求項１】
仙骨を主として保護する仙骨用パッドと、
尾骨を主として保護する尾骨用パッドと、
大腿骨骨頭を主として保護する一組の大腿骨骨頭用パッドと、
前記大腿骨骨頭に連なる大腿骨転子部を主として保護する一組の転子部用パッドと、
恥骨・坐骨を主として保護する一組の恥骨・坐骨用パッドと、
大腿骨を主として保護する大腿骨用パッドとを備え、
前記仙骨用パッドと前記尾骨用パッドとは互いに折曲自在に連結されるとともに、前記仙骨用パッドは前記一組の大腿骨骨頭用パッドと折曲自在に連結され、
前記転子部用パッドは前記恥骨・坐骨用パッドと大腿骨上部を保護する前記大腿骨用パッドに折曲自在に連結されるとともに、前記尾骨用パッドは前記恥骨・坐骨用パッドに折曲自在に連結され、
さらに前記大腿骨骨頭用パッドと前記恥骨・坐骨用パッドとは互いに折曲自在に連結されてなる衝撃吸収装置。
【請求項２】
請求項１記載の衝撃吸収装置において、
前記転子部用パッドは互いに折曲自在に連結された大転子部用パッドと転子下部用パッドとからなり、
前記大転子部用パッドは大腿骨骨頭用パッドに折曲自在に連結され、
前記転子下部用パッドは恥骨・坐骨用パッドと大腿骨用パッドに折曲自在に連結されてなる衝撃吸収装置。
【請求項３】
請求項１又は２に記載の衝撃吸収装置において、
前記仙骨用パッドと前記尾骨用パッドとは一組の三角形状の結合片によってさらに連結されているとともに、前記結合片の長辺が前記大腿骨骨頭用パッドと恥骨・坐骨用パッドの夫々の一辺と折曲自在に連結されてなる衝撃吸収装置。
【請求項４】
請求項１乃至３のいずれか１項に記載の衝撃吸収装置において、
前記夫々のパッドは互いに弾発力の異なる発泡材の少なくとも二層構造からなる衝撃吸収装置。
【考案の詳細な説明】
【技術分野】
【０００１】
本考案は、人体の腰部や臀部を可及的広範囲に包被することによって、転倒、尻もち等に起因する骨折や重度の筋肉の損傷を回避することが可能な衝撃吸収装置に関する。
【背景技術】
【０００２】
近頃、若者の間でスポーツの一種として、また、遊びの多様化の中でスノーボードやスケートボードが広汎に普及するに至っている。これらスノーボードやスケートボードは競技中や遊びの中でも相当早いスピードを伴いながら複雑な技術を競うものであるために、転倒等によって腰部や臀部を骨折したり、また骨折に至らぬまでも筋肉を傷めて長期にわたる治療を余儀なく強いられることがある。
【０００３】
一方、老人に目を向ければ、歩行に困難な高齢者が尻もちをついたり、腰をねじる等の姿勢をとることに起因して骨折や筋肉を損傷する事例も多発している。
【０００４】
特許文献１には高齢者のリハビリテーションや尻もち等によって発生する圧迫骨折を回避できるとする衝撃吸収装具が開示されている。
【０００５】
また、特許文献２には高齢者の大腿骨近位部の骨折を回避するために着用者が日常的に身につけるズボンやスカート等の衣類の内部に衝撃吸収パッドを収納するポケットや袋状体を備えた衝撃吸収パッド入り衣類が開示されている。
【先行技術文献】
【特許文献】
【０００６】
【特許文献１】特開２０１２−９５８７８号公報
【特許文献２】実用新案登録第３２０８２８７号公報
【考案の概要】
【考案が解決しようとする課題】
【０００７】
高齢者が転倒して骨折したり筋肉を傷める部位は一様ではない。同様に、若者等が楽しむスポーツ、例えば、スノーボードやスケートボードでの転倒事故による骨折や損傷の位置も広範囲にわたる。
【０００８】
特許文献１や特許文献２で開示されている衝撃吸収用のパッドの取付位置は限定的であって必ずしも全ての骨折や転倒事故に対応できるとは言い難い。
【０００９】
本考案は叙上の従来技術の問題点を克服すべくなされたものであって、尻もちをついたり、転倒した時、可及的広範囲に骨折や筋肉の損傷を回避し、あるいは、その損傷度合いを軽微に抑制することが可能な衝撃吸収装置を提供することを目的とする。
【課題を解決するための手段】
【００１０】
上述の目的を達成するために、本考案による衝撃吸収装置によれば、仙骨を主として保護する仙骨用パッドと、尾骨を主として保護する尾骨用パッドと、大腿骨骨頭を主として保護する一組の大腿骨骨頭用パッドと、大腿骨骨頭に連なる大腿骨転子部を主として保護する一組の転子部用パッドと、恥骨・坐骨を主として保護する一組の恥骨・坐骨用パッドと、大腿骨を主として保護する大腿骨用パッドとを備え、仙骨用パッドと尾骨用パッドとは互いに折曲自在に連結されるとともに、仙骨用パッドは一組の大腿骨骨頭用パッドと折曲自在に連結され、転子部用パッドは恥骨・坐骨用パッドと大腿骨上部を保護する大腿骨用パッドに折曲自在に連結されるとともに、尾骨用パッドは、恥骨・坐骨用パッドに折曲自在に連結され、さらに一組の大腿骨骨頭用パッドと恥骨・坐骨用パッドとは互いに折曲自在に連結されてなることを特徴とする。
【００１１】
このように人体の腰部から臀部に至る骨格中、仙骨、尾骨、大腿骨の骨頭、大転子を含む転子部、恥骨とこれに連なる坐骨を含む恥骨・坐骨部及び大腿骨自体を夫々保護するパッドを備えている。このような構成から大腿骨骨頭から転子部の大殿筋、さらにはハムストリング上部の筋肉の損傷を転倒等の事故から回避することが可能となる。
【００１２】
特に、前記骨格中の骨頭や転子部、そして恥骨・坐骨部に対応する保護用パッドを互いに折曲自在に連結していることから、夫々の骨部や筋肉の動きに保護用パッドが追従して折曲するので転倒や尻もち等の事故時に身体の動きに合わせて保護用パッドも変位する。従って、保護用パッドは、骨格や筋肉の動きに柔軟に対応するので骨格や筋肉に負荷される衝撃をソフトに受け止める保護機能を営むことができる。
【００１３】
また、転子部を構成する大転子と、これに連なる転子部下部に合わせて夫々の保護用パッドを相互に連結して折曲自在としたことから転子部を覆う大臀筋やハムストリングの上部の骨格や筋肉の損傷も免れることができる。
【００１４】
しかも、本考案によれば、転子部用パッドを大転子部用パッドと転子下部用パッドに二分割し、転倒時に大きく変位する大転子と転子下部に忠実に追従可能な保護機能を達成するように構成している。このため、大転子や転子下部に加えて大殿筋の損傷を回避し、又はその損傷度合いを軽減することができる。
【００１５】
さらに、本考案によれば、仙骨用パッドと尾骨用パッドと三角形状の結合片によって連結するとともに当該結合片の長片が大腿骨骨頭用パッドと恥骨・坐骨用パッドの夫々の一辺と折曲自在に連結している。これによって、仙骨、尾骨及び大腿骨骨頭が転倒時等に、例えば、腰部や臀部が捻じれるような体位になったとしても結合片の二つの角度の差異によって異なる方向にパッドが追従して変形する。これによっても大腿骨骨頭や転子部、恥骨や坐骨、大腿骨の骨折や損傷を回避することができる。
【００１６】
なお、パッドは弾発力の異なる発泡材を二層構造にし、人体からみて外側の発泡材が、より弾発力の大なるものにすれば、身体に柔らかい発泡材が接するとともに衝撃が加わった際に弾発力の強い発泡材が荷重を直接受けるので、より一層人体への荷重を弱めることができる。特に、大腿骨用パッドの硬度は仙骨用パッド、尾骨用パッド、大腿骨骨頭用パッド、転子部用パッド及び恥骨・坐骨用パッドの硬度より大なることが好ましい。尻もち時や転倒時に大腿骨に印加される荷重による骨折や損傷をより一層回避するためである。
【考案の効果】
【００１７】
以上、説明したように、本考案によれば、高齢者や、たとえ若者であっても、スポーツ途上での尻もち、転倒事故等による骨折や筋肉の損傷を回避し、あるいはその程度を軽減することができる効果が得られる。
【図面の簡単な説明】
【００１８】
【図１】図１は、本考案に係る衝撃吸収装置を人体に装着した状態の概略斜視説明図である。
【図２】図２は、ハーフパンツに衝撃吸収装置を係着した状態の概略斜視説明図である。
【図３】図３は、人体の腰部から臀部、大腿骨に至る骨格の概略説明図である。
【図４】図４は、衝撃吸収装置の正面説明図である。
【図５】図５は、衝撃吸収装置の斜視説明図である。
【図６】図６は、衝撃吸収装置の図５におけるＶＩ−ＶＩ線に沿う一部断面図である。
【図７】図７は、衝撃吸収装置の図５におけるＶＩＩ−ＶＩＩ線に沿う一部断面図である。
【図８】図８は、ハーフパンツに衝撃吸収装置を係着し且つ前部を閉めた状態の斜視説明図である。
【図９】図９は、図８の状態から衝撃吸収装置の前部を大きく開いた状態の正面説明図である。
【考案を実施するための形態】
【００１９】
次に、本考案に係る衝撃吸収装置１０について、添付の図面を参照しながら以下詳細に説明する。
【００２０】
本考案の実施の形態では、スノーボードで遊ぶ若者の転倒に起因する腰部や臀部の骨折に関連して説明するが、これに限定されるものではなく、高齢者の歩行時の尻もちや転倒した際に生ずる骨折や筋肉の損傷を可及的に回避するために好適に用いられるものである。
【００２１】
図１に示すように、本考案に係る衝撃吸収装置１０は人体１２の腰部、臀部から大腿部にかけて、これらの大部分を包被するように装着される。具体的には、人体１２が身につける、例えば、ハーフパンツ１４の内側に縫合され、衝撃吸収装置１０よりも一回り大なるサイズの内側ポケット１６へ装入される。これに限らず、衝撃吸収装置１０はハーフパンツ１４の内側にボタン止め、通常のファスナーや面ファスナー等を用いて着脱自在に装着されるものであってよく、特定の装着構造に限定されない。
【００２２】
内部に本考案の衝撃吸収装置１０の内側ポケット１６に装着したハーフパンツ１４を着衣すると、衝撃吸収装置１０を構成する保護用パッドは人体１２の保護対象となる骨格部分に対応する位置に対峙することになる。
【００２３】
理解を容易にするために図３に人体１２の腰部、臀部及び大腿部の骨格を概略図示する。
【００２４】
図３において参照符号２０は人体１２の腰椎を示す。腰椎２０の下方に仙骨２２が位置し、その下端に尾骨２４がある。尾骨２４の下方に坐骨２６ａ、２６ｂがある。坐骨２６ａ、２６ｂの上方には恥骨２８ａ、２８ｂがある。仙骨２２の両側には腸骨３０ａ、３０ｂがあり、腸骨３０ａ、３０ｂの下方に大腿骨骨頭３２ａ、３２ｂが存在する。大腿骨骨頭３２ａ、３２ｂは、転子部を構成する大転子３４ａ、３４ｂに連なり、次いで大転子３４ａ、３４ｂには大腿骨転子下部３６ａ、３６ｂが連続する。大腿骨転子下部３６ａ、３６ｂが終端すると夫々大腿骨３８ａ、３８ｂに至る。
【００２５】
以上のような骨格構造を囲撓する衝撃吸収装置１０についてパッドとの関係において詳細に説明する。
【００２６】
図４〜図６に示すように、衝撃吸収装置１０を構成して仙骨２２を保護する仙骨用パッド４０は、その頂部が円弧状であり、この円弧部４２ａが終端する部位から略平行に端縁４２ｂ、４２ｃが図４において下方に延在した後、互いに直線状の端縁４２ｄ、４２ｅに連なり、これらの端縁４２ｄ、４２ｅが横架する端縁部４２ｆに連なる。
【００２７】
尾骨用パッド５０は、その底部が円弧部５２ａを構成し、前記円弧部５２ａが終端する部位から略平行に端縁５２ｂ、５２ｃが上方へと立ち上がり、夫々の終端部位から直線状の端縁５２ｄ、５２ｅが互いに接近するように延在し、横架する端縁部５２ｆに連なる。
【００２８】
横架する端縁部４２ｆと端縁部５２ｆは、例えば、後述するように互いの接続部位で縫合されて仙骨用パッド４０と尾骨用パッド５０とは互いに折曲自在に一体化している。
【００２９】
なお、仙骨用パッド４０の端縁４２ｄと尾骨用パッド５０の端縁５２ｄとの間には三角形状のパッドからなる結合片６０ａが折曲自在に連結される。同様に、仙骨用パッド４０の端縁４２ｅと尾骨用パッド５０の端縁５２ｅとの間にも三角形状のパッドからなる結合片６０ｂが折曲自在に連結される。
【００３０】
この結果、図４から容易に諒解されるように、仙骨用パッド４０と尾骨用パッド５０と結合片６０ａ、６０ｂの三角形の長辺６２ａ、６２ｂが全体として長円形状を呈するに至る。
【００３１】
次に、前記仙骨用パッド４０と尾骨用パッド５０と結合片６０ａに折曲自在に連結される大腿骨骨頭用パッド７０について説明する。
【００３２】
大腿骨骨頭用パッド７０は、図４から諒解されるように、正面から見て変形した四角形状に形成される。頂部端縁７２ａが若干湾曲した形状である一方、他の端縁７２ｂ、７２ｃ、７２ｄは直線状であり、端縁７２ｃは仙骨用パッド４０の端縁４２ｂ、結合片６０ａの長辺６２ａ及び尾骨用パッド５０の端縁５２ｂと折曲自在に連結される。
【００３３】
転子部用パッド８０は大転子部用パッド８２と転子下部用パッド８４とに分割構成され、大転子部用パッド８２は一辺が湾曲した端縁８６ａと前記端縁８６ａから延在して終端部で収束する二辺からなる端縁８６ｂ、８６ｃを備えた変形した扇状に近い形状である。直線状の端縁８６ｃは大腿骨骨頭用パッド７０の端縁７２ｂと折曲自在に連結されている。
【００３４】
転子部用パッド８０を構成する転子下部用パッド８４は、図４に示すように、変形した台形状であって、長辺からなる端縁８８ａと、前記端縁８８ａの端部から先端部が互いに収束する方向へと延在する端縁８８ｂ、８８ｃと、前記二つの端縁８８ｂ、８８ｃを結ぶ端縁８８ｄとからなる。
【００３５】
大転子部用パッド８２の端縁８６ｂと転子下部用パッド８４の端縁８８ｂは互いに折曲自在に連結されてなる。
【００３６】
転子下部用パッド８４と尾骨用パッド５０との間に恥骨・坐骨用パッド９０が配設される。恥骨・坐骨用パッド９０は、図示するように、正面から見て変形した四角形状であり、直線状に長く延在する端縁９２ａは大腿骨骨頭用パッド７０の端縁７２ｄに折曲自在に連結される。前記端縁９２ａの一方の端部から鋭角状に延在する端縁９２ｂは転子下部用パッド８４の端縁８８ｄに折曲自在に連結される。端縁９２ｂの端部からは端縁９２ａと略平行に端縁９２ｃが延在し、端縁９２ａと端縁９２ｃの夫々の端部は円弧状の端縁９２ｄに連なっている。
【００３７】
大腿骨本体を保護するための大腿骨用パッド１００は、前記転子下部用パッド８４と恥骨・坐骨用パッド９０に折曲自在に連結される。すなわち、大腿骨用パッド１００は正面から見て変形した扇形状を呈するものであって、直線状の一方の端縁１０２ａは転子下部用パッド８４の端縁８８ｃに折曲自在に連結され、直線状の他方の端縁１０２ｂは恥骨・坐骨用パッド９０の端縁９２ｃに折曲自在に連結される。円弧状の端縁１０２ｃは前記端縁１０２ａと端縁１０２ｂの夫々の端部間に連なっている。
【００３８】
なお、図４及び図５において、同一の参照符号は同一の部材又は部位を示すものとし、詳細な説明を省略する。説明が煩瑣になることを避けるためである。
【００３９】
次に、前記衝撃吸収装置１０を構成するパッドの構成について説明する。
【００４０】
本考案の実施の形態では、仙骨用パッド４０、尾骨用パッド５０、結合片６０ａ、６０ｂ、大腿骨骨頭用パッド７０、大転子部用パッド８２、転子下部用パッド８４、恥骨・坐骨用パッド９０に関しては、ポリウレタンからなる発泡材２００ａ、２００ｂの二層構造であり、ハーフパンツ１４を着衣した際、人体側（内側）の発泡材２００ａは外側の発泡材２００ｂより硬度の低いものを選択している。
【００４１】
一方、大腿骨用パッド１００は内側がポリウレタンからなる発泡材５００ａで外側がＥＶＡ（Ｅｔｈｙｌｅｎｅ−Ｖｉｎｙｌ  Ａｃｅｔａｔｅ、エチレン酢酸ビニル）５００ｂからなる発泡材で構成されている。周知のようにポリウレタンよりもＥＶＡ５００ｂは硬度が高いものを選択しているため、転倒時や尻もち時に負荷が極度に増大する大腿骨の骨折予防や損傷予防、あるいは大腿骨周囲のハムストリングの損傷予防に一層効果がある。
【００４２】
次に、本考案に係る衝撃吸収装置１０の製造方法を説明する。
【００４３】
先ず、図４に示す衝撃吸収装置１０より大なる相似形状のポリエステルからなる第１の表皮３００を用意し、当該第１の表皮３００上に発泡材２００ａ、２００ｂ（図６参照）で積層形成した仙骨用パッド４０、尾骨用パッド５０、結合片６０ａ、６０ｂ、大腿骨骨頭用パッド７０、大転子部用パッド８２、転子下部用パッド８４、恥骨・坐骨用パッド９０を相互に所定間隔幅狭に離間して、図４に示すように載置位置決めする。なお、大腿骨用パッド１００に対応して図７に示す発泡材５００ａとＥＶＡ５００ｂの積層体を載置位置決めする。次いで、その上面に他方のポリエステルからなる第２の表皮４００を載置する。
【００４４】
このように載置した後に、自動縫製装置で仙骨用パッド４０乃至大腿骨用パッド１００の周囲を縫合し、その外周縁をトリミングすれば完成品としての衝撃吸収装置１０が得られる。
【００４５】
次に、本考案に係る衝撃吸収装置１０を高齢者の骨折等を回避するために用いる適用例を以下に説明する。
【００４６】
ハーフパンツ１４の後部７０６ｂ（背側）に予め衝撃吸収装置１０より大なる相似形状のポケット７００を配設しておく。好適には、ポケット７００の布地に伸縮自在な生地を使用し、ポケット７００の一部に図示しない開口部を設け、当該開口部から衝撃吸収装置１０をポケット７００内へ出し入れすることで、衝撃吸収装置１０の脱着を可能とする。あるいは、ポケット７００の一側部（又は両側部）に図示しないファスナーを設け、当該ファスナーを開閉することによってポケット７００内への衝撃吸収装置１０の脱着を可能とする。
【００４７】
一方、ハーフパンツ１４の前部両側部に人体１２の腰部から大腿部下方にかけて延在する一対の切れ目７０２ａ、７０２ｂを設け、これらの切れ目７０２ａ、７０２ｂに対して当該切れ目７０２ａ、７０２ｂを開閉自在とするファスナー７０４ａ、７０４ｂを縫合する。この切れ目７０２ａ、７０２ｂによってハーフパンツ１４は幅狭な前部７０６ａと幅広な後部７０６ｂに区分される。但し、ハーフパンツ１４の尾底部７０６ｃによって前部７０６ａと後部７０６ｂは連結されている。
【００４８】
ハーフパンツ１４の前部７０６ａの隅角部には、雄のスナップボタン７０８ａ、７０８ｂが設けられる。ファスナー７０４ａ、７０４ｂを閉じた時、雄のスナップボタン７０８ａ、７０８ｂを当該ハーフパンツ１４の後部７０６ｂの隅角部に設けられた雌のスナップボタン７１０ａ、７１０ｂのいずれかに止める。スナップボタン７１０ａ、７１０ｂの選択は、腹囲の太さによる。このため、ハーフパンツ１４の前部７０６ａと後部７０６ｂは一体化し、人体１２の腰部を囲撓するように着衣可能である。
【００４９】
一方、ハーフパンツ１４を脱衣する際には、先ず、雄のスナップボタン７０８ａ、７０８ｂと雌のスナップボタン７１０ａ、７１０ｂを夫々離間させ、次いでファスナー７０４ａ、７０４ｂを押し下げて開成する。これによって、ハーフパンツ１４の後部７０６ｂから前部７０６ａが離間する。
【００５０】
すなわち、人体１２が仰向けに横臥した状態であっても腰部を少し持ち上げるだけで、衝撃吸収装置１０を装着したハーフパンツ１４を人体１２から離脱させることができる。特に、寝た状態での高齢者が立位でなくても衝撃吸収装置１０を人体１２から取り外すことができる。従って、必要に応じてハーフパンツ１４のポケット７００から衝撃吸収装置１０を取り出し、洗濯等に供することができる。
【００５１】
言うまでもないが、ハーフパンツ１４に衝撃吸収装置１０が縫合等係着されている場合には、当該装置をハーフパンツ１４から離脱させることなく、ハーフパンツ１４と一緒に洗濯等に供してもよい。
【００５２】
なお、ハーフパンツ１４はポケット７００や衝撃吸収装置１０を必要としない場合には、それらを具備しなくてもよいことは勿論である。例えば、転倒等の可能性が少なく、一方、尿漏れ等の懸念からおしめを装着している高齢者がハーフパンツ１４のみを用いる場合、横臥した状態でハーフパンツ１４は前部７０６ａを後部７０６ｂから開成することにより容易におしめの交換が行い易い等の利点もある。
【符号の説明】
【００５３】
１０…衝撃吸収装置                  ４０…仙骨用パッド
５０…尾骨用パッド                  ７０…大腿骨骨頭用パッド
８０…転子部用パッド                ８２…大転子部用パッド
８４…転子下部用パッド              ９０…恥骨・坐骨用パッド
１００…大腿骨用パッド              ２００ａ、２００ｂ…発泡材
【図１】
0003235594.tif 000003
【図２】
0003235594.tif 000004
【図３】
0003235594.tif 000005
【図４】
0003235594.tif 000006
【図５】
0003235594.tif 000007
【図６】
0003235594.tif 000008
【図７】
0003235594.tif 000009
【図８】
0003235594.tif 000010
【図９】
0003235594.tif 000011